(57)【要約】【課題】複数の光源を有するものにおいて使い勝手のよい可搬型照明器具を提供すること。【解決手段】複数の光源１、４と、各光源に個別に接続される二次電池７、１４及び商用電源により各二次電池を充電する充電回路９、１１を含む電源装置と、それらを収納するとともに光源の光を透過させる光透過部３を有する器具本体２１と、を備えてなる可搬型照明器具において、光源の一部４とその一部の光源に接続される二次電池１４とこれらを収納する第２の光透光部６を有する第２の器具本体２３とによって照明灯２２を形成し、器具本体にその照明灯を収納、離脱可能とする収納部２１ａを設けた。【選択図】　　図１
2004006212.tif 000002
【特許請求の範囲】
【請求項１】
複数の光源と、各光源に個別に接続される二次電池及び商用電源により各二次電池を充電する充電回路を含む電源装置と、それらを収納するとともに光源の光を透過させる光透過部を有する器具本体と、を備えてなる可搬型照明器具において、前記光源の一部とその一部の光源に接続される二次電池とこれらを収納する第２の光透光部を有する第２の器具本体とによって照明灯を形成し、前記器具本体にその照明灯を収納、離脱可能とする収納部を設けたことを特徴とする可搬型照明器具。
【請求項２】
前記収納部は、光透過部の外面に対し大略直交する方向で、かつ自己の外面と器具本体の外面との間に所定の隙間を有するように形成していることを特徴とする請求項１記載の可搬型照明器具。
【請求項３】
前記収納部は、光透過部の外面に対し大略平行となる位置に形成していることを特徴とする請求項１記載の可搬型照明器具。
【請求項４】
前記第１の光源は、その光を広範囲に拡散し得るものであることを特徴とする請求項１乃至３いずれかに記載の可搬型照明器具。
【請求項５】
前記第２の光源は、その光を小範囲に拡散し得るものであることを特徴とする請求項１乃至４いずれかに記載の可搬型照明器具。
【請求項６】
前記第２の器具本体は、大略円柱形状に形成していることを特徴とする請求項１乃至５いずれかに記載の可搬型照明器具。
【請求項７】
前記各光源に接続される二次電池は、それぞれ充電回路を介して並列に外部商用電源に接続されていることを特徴とする請求項１乃至６のいずれかに記載の可搬型照明器具。
【請求項８】
前記第２の器具本体に前記照明灯を点灯・消灯させる操作スイッチを設けるとともに、前記収納部に照明灯を収納したときに、前記操作スイッチが収納部から突出して照明灯の回転を阻止する回転抑止部を前記収納部に設けたことを特徴とする請求項６記載の可搬型照明器具。
【請求項９】
前記照明灯に収納された二次電池を充電するための接続部として、前記器具本体に本体側充電端子を設け、この本体側充電端子が前記照明灯の第２の器具本体を銜え込むようにしたことを特徴とする請求項１乃至８のいずれかに記載の可搬型照明器具。
【請求項１０】
前記本体側充電端子は、バネ性を有し、このバネ性によるの応力の向きが前記照明灯の第２の器具本体に向かっていることにより、前記照明灯の第２の器具本体を銜え込むようにしたことを特徴とする請求項９記載の可搬型照明器具。
【請求項１１】
前記本体側充電端子と接する照明灯側充電端子を前記照明灯の第２の器具本体の側壁に露出して設けたことを特徴とする請求項１０記載の可搬型照明器具。
【発明の詳細な説明】
【０００１】
【発明の属する技術分野】
本発明は、光源とその電源装置を備えた可搬型照明器具に関するものである。
【０００２】
【従来の技術】
この種の可搬型照明器具としては、光源として直管型の蛍光ランプと小型電球といった用途の異なる複数のものを用い、電源装置としてそれらの光源に給電する一次電池とその点灯回路を用い、これらを器具本体に収納したものが存在している。
【０００３】
また、特開昭６２−８８２０２に示すように、光源として白熱電球、その電源装置として二次電池を備えてなる複数の照明灯を、器具本体に取り外し可能に装着した可搬型照明器具が開示されている。このものは、各照明灯に、反射体の前面に光源と光透光部を設けるとともに、器具本体の支持具と、器具本体の電源装置部分と各照明灯を電気的に接続する電線等により構成される。したがって、電線を接続した状態ではあるが、照明灯を器具本体から取り外して使用することができる。
【０００４】
【特許文献１】
特開昭６２−８８２０２号公報
【０００５】
【発明が解決しようとする課題】
しかしながら、前者のものは、光源が器具本体に固定されているので、必要な光源だけを取り外して使用することはできず、後者のものは、必要な光源を器具本体から取り外せるものの、器具本体内の電源装置部分と取り外した光源（照明灯）とは一定長さの電線で接続されているので、個々の光源を完全に取り外してそれのみを使用することはできなかった。したがって、いずれも特定の光源だけを使用したい場合には使い勝手が良いといえるものではなかった。
【０００６】
本発明は、かかる事由に鑑みてなしたもので、複数の光源を有するものにおいて使い勝手のよい可搬型照明器具を提供することが目的である。
【０００７】
【課題を解決するための手段】
請求項１に係る発明は、複数の光源と、各光源に個別に接続される二次電池及び商用電源により各二次電池を充電する充電回路を含む電源装置と、それらを収納するとともに光源の光を透過させる光透過部を有する器具本体と、を備えてなる可搬型照明器具において、前記光源の一部とその一部の光源に接続される二次電池とこれらを収納する第２の光透光部を有する第２の器具本体とによって照明灯を形成し、前記器具本体にその照明灯を収納、離脱可能とする収納部を設けたことを特徴としている。
【０００８】
請求項２に係る発明は、請求項１において、前記収納部は、光透過部の外面に対し大略直交する方向で、かつ自己の外面と器具本体の外面との間に所定の隙間を有するように形成していることを特徴としている。
【０００９】
請求項３に係る発明は、請求項１において、前記収納部は、光透過部の外面に対し大略平行となる位置に形成していることを特徴としている。
【００１０】
請求項４に係る発明は、請求項１乃至３のいずれかにおいて、前記第１の光源が、その光を広範囲に拡散し得るものであることを特徴としている。
【００１１】
請求項５に係る発明は、請求項１乃至４のいずれかにおいて、前記第２の光源が、その光を小範囲に拡散し得るものであることを特徴としている。
【００１２】
請求項６に係る発明は、、請求項１乃至５のいずれかにおいて、前記第２の器具本体は、大略円筒状に形成していることを特徴としている。
【００１３】
請求項７に係る発明は、請求項１乃至６のいずれかにおいて、前記各光源に接続される二次電池は、それぞれ充電回路を介して並列に外部商用電源に接続されていることを特徴としている。
【００１４】
請求項８に係る発明は、請求項６において、前記第２の器具本体に前記照明灯を点灯・消灯させる操作スイッチを設けるとともに、前記収納部に照明灯を収納したときに、前記操作スイッチが収納部から突出して照明灯の回転を阻止する回転抑止部を前記収納部に設けたことを特徴としている。
【００１５】
請求項９に係る発明は、請求項１乃至８のいずれかにおいて、前記照明灯に収納された二次電池を充電するための接続部として、前記器具本体に本体側充電端子を設け、この本体側充電端子が前記照明灯の第２の器具本体を銜え込むようにしたことを特徴としている。
【００１６】
請求項１０に係る発明は、請求項９において、前記本体側充電端子は、バネ性を有し、このバネ性によるの応力の向きが前記照明灯の第２の器具本体に向かっていることにより、前記照明灯の第２の器具本体を銜え込むようにしたことを特徴としている。
【００１７】
請求項１１に係る発明は、請求項１０において、前記本体側充電端子と接する照明灯側充電端子を前記照明灯の第２の器具本体の側壁に露出して設けたことを特徴としている。
【００１８】
【発明の実施の形態】
（第１の実施形態）
図１は第１の実施形態の器具本体を切断した状態の側面図である。図２は光透過部の一部を切り欠いた正面図、図３はその側面図、図４は電源アダプタの側面図である。
【００１９】
１は複数の光源の内の第１の光源で、後述する器具本体に配設される。この第１の光源１は、蛍光ランプであり、発光面積が大きく、光を広範囲に拡散し得るもので全般照明用とする。２は反射板で、略平板状をなし、第１の光源１から放出された光を配光制御する。３は光透過部で、断面略半円状をなし、透明の樹脂で形成され、第１の光源１の光を透過させる。これら第１の光源１、反射板２、光透過部３は、後述する器具本体の一側面に配設される。
【００２０】
４は複数の光源の内の第２の光源で、後述する照明灯に配設される。この第２の光源４は、小型クリプトン電球であり、発光面積は小さいが輝度は高く、光を小範囲に拡散し得るもので局所照明用としている。小型クリプトン電球は、熱伝導の低いクリプトンガスをガラスバルブ内に封入したもので、寸法が小さく、寿命が長い。５は反射板で、すりばち状をなし、第２の光源４から放出された光を配光制御する。６は第２の光透過部で、透明の樹脂で形成され、第２の光源４の光を透過させる。これら第２の光源４、反射板５、第２の光透過部６は、後述する照明灯の第２の器具本体に収納され、この照明灯は後述する器具本体の上方部に配設される。
【００２１】
７は電源装置を構成する第１の光源１に接続される二次電池で、例えば、鉛蓄電池であり、後述する器具本体の下方部に配設される。鉛蓄電池は、器具の安定性のために一定の重量を有するうえに、安価であるので、第１の光源１の二次電池として好ましい。
【００２２】
８は回路ブロックで、後述する器具本体の二次電池７の上方に配設される。また、図５に示すように回路ブロック８は、充電回路９と、点灯回路１０を有するとともに、第２の光源４の充電回路１１も備えている。
【００２３】
回路構成は図５に示すように、商用電源から電源アダプタ１６、プラグ１７ａ　及びジャック１７ｂを介し、充電回路９、充電回路１１が並列に接続され、充電回路９の後段に二次電池７、操作スイッチ１２、点灯回路１０、第１の光源１が直列に接続され、充電回路１１の後段にコネクタ１３ａ、１３ｂ、二次電池１４、操作スイッチ１５、第２の光源４が直列に接続されている。この状態で二次電池７、１４は充電される。
【００２４】
つぎに、器具本体２１と第２の器具本体について説明する。器具本体２１は、幅方向がやや小さい大略直方体状であり、上記した各部材を収納する収納空間を形成して、樹脂により型造する。これはたとえば、箱状の部材とそれを塞ぐ蓋状の部材により構成する等適宜の構成を採用する。
【００２５】
器具本体２１は、その一側面を第１の光源１と反射板２と光透過部３を設けるため、切り欠いており、光透過部３の外面が実質的に器具本体の外郭を形成している。
【００２６】
つぎに、照明灯２２とこれを収納する器具本体２１の構造について説明する。照明灯２２は、大略有底円筒状であって、底部に開口を有し、開放側が広がるようにたとえば樹脂にて形成された第２の器具本体２３に、二次電池１４を収納し、第２の光源４と反射板５と光透過部６とコネクタの他方端子１３ｂと操作スイッチ１５を取りつけている。この第２の光透過部６は、第２の器具本体２３の開放側を塞ぐように位置し、照明灯２２の外郭を形成している。操作スイッチ１５は、器具本体２２のすりばち状に広がる近傍に操作部が突出して位置している。コネクタの他方端子１３ｂは、第２の器具本体２３の底部の開口近傍の内方に設けられ、器具本体２１の収納部２１ａに取りつけられたコネクタの一方端子１３ａに所定の圧接力でもって機械的及び電気的に接続している。この照明灯２２は、後述する器具本体２１に対し収納、離脱可能となるものであり、そのために器具本体２１の上方に収納部２１ａを設けている。
【００２７】
収納部２１ａは、器具本体２１の第１の光源１が位置する側の上方に連結部２１ｂを連設し、連結部２１ｂの上方に、大略有底円筒状に連接してある。つまり、収納部２１は、第１の光源１の光透過部３の外面に対し大略直交する方向で、かつ自己の外面と器具本体２１の外面２１ｃとの間に所定の隙間Ｇを有するように形成している。隙間Ｇは３ｃｍから６ｃｍ程度が好ましい。また、外郭開放側をわずかに大径とし、それにより第２の器具本体２３の外面と収納部２１ａの内壁面との間に空間ができ、この空間にスイッチ１５の操作部を収納する。照明灯２２は、コネクタ１３ａ，ｂの保持力により保持することができるが、この保持力をさらに大きくしたい場合には、第２の器具本体２３を圧接する保持ばねを設けてもよい。
【００２８】
つぎに動作を説明する。まず、第１の光源１を使用する場合には、二次電池７が充電され所定の電圧を維持している状態で、操作スイッチ１２をＯＮ側に操作することにより、第１の光源１が点灯する。
【００２９】
つぎに、第２の光源４を使用する場合について説明する。前述のように第２の光源４を備える照明灯２２は、光透過部３の外面に対して大略直交する方向で収納部２１ａに収納されている。二次電池１４が充電され所定の電圧を維持している状態で、コネクタ１３ａ，ｂの所定の圧接力に打ち勝つ力でもって水平方向に引っ張り、照明灯２２を収納部２１ａから離脱させる。これにより、器具本体の一方のコネクタ端子１３ａと他方のコネクタ端子１３ｂが電気的に完全に分離される。照明灯２２は、商用電源から分離されるものの、充電された二次電池１４を有するので、操作スイッチ１５をＯＮ側に操作することにより、第２の光源４を点灯させることができる。このように、照明灯２２は器具本体２１と電気的に分離して使用できるので、照明灯２２を使用する場合に器具本体２１を同時に持ち運ぶ必要が無くなる。
【００３０】
二次電池７、１４を充電する場合は、照明灯２２を収納部２１ａに収納した状態で電源アダプターを商用電源に接続し、プラグ１７ａをジャック１７ｂに接続すればよい。電源アダプタ１６は、商用電源電圧をトランスにより降圧して、プラグ１７ａからジャック１７ｂを介して、充電回路９、１１に充電用の電力を供給する。充電回路９は、外部の商用電源から電力の供給を受け、二次電池７を充電する。また同様に、充電回路１１は、外部の商用電源から電力の供給を受け、二次電池１４を充電する。ここで、充電回路９と充電回路１１は、電源に対して並列に接続されているので、二次電池７と二次電池１４を同時に充電することができる。一方、照明灯２２を器具本体２１から離脱させた場合は、充電回路９のみが電源に接続されており、二次電池７のみが充電される。
【００３１】
器具本体２１は、その収納部２１ａが大略有底円筒形状であって、第１の光源１の光透過部３の外面に対し大略直交する方向で、かつ自己の外面と器具本体２１の外面２１ｃとの間に所定の隙間Ｇを有するように形成しているので、器具本体２１及び照明灯２２を持ち運ぶ場合、又は器具本体２１のみを持ち運ぶ場合には、収納部２１ａは把持部として使用することができ、器具本体の持ち運びが容易にできる。
（第２の実施形態）
つぎに、第２の実施形態を図６に基づいて説明する。このものは、先の実施形態とは照明灯を収納する収納部の位置が異なるものであり、電気的な部分の構成については、先の実施形態と実質的に同じであるので、その部分の説明は省略する。
【００３２】
すなわち、器具本体３１は、幅方向がやや小さい大略直方体状であり、電気的部材を収納する収納空間を形成して、樹脂により型造する。そして、収納部３１ａは、器具本体３１の光透過部３の外面に対し大略平行となる位置に形成している。
収納部３１ａは外方部が半円状になっており、二次電池１４は照明灯２２を形成する第二の器具本体２３の底部近傍に設けている。
【００３３】
収納部３１ａは、器具本体３１の光透過部３の外面に対し大略平行となる位置に形成しているので、照明灯２２の収納、離脱は収納部３１ａの上方から行う。ここで、二次電池１４は照明灯２２を形成する第二の器具本体２３の底部近傍に設けている。これにより、二次電池７、１４いずれも器具本体３１の下方に存在することにより、器具本体３１を持ち上げる場合あるいは放置する場合の安定性がよい。また、第二の器具体２３の底部の開口近傍の内方に設けられたコネクタの端子１３ｂは照明灯２２の自重を受けて、器具本体２１の底部に設けられたコネクタ１３ａに接続されるのでコネクタ端子１３ａ、１３ｂの電気的接続が安定する。
【００３４】
なお、第１の光源はＵ字型の蛍光ランプを用いてもよい。二次電池については適宜のものを選択すればよい。
（第３の実施形態）
本発明の第３の実施形態を図７〜図１０を用いて説明する。図７は器具本体の一部を取外し内部を見たときの斜視図、図８は照明灯を取り出したときの外観図、図９は照明灯を挿入したときの外観図、図１０は照明灯を電気的に接続する接続部分の要部斜視図である。
【００３５】
この可搬型照明器具は、第１の実施形態で説明した照明灯２２の器具本体２１に収納する収納部２１ａと、照明灯２２を点灯させるための二次電池１４を充電するためのコネクタ１３ａ、ｂと、の形状を変えたものである。その他の第１の実施の形態と同一の構成部材には、同一符号を付すことにより説明を省略する。
【００３６】
このものは、第２の器具本体２３に照明灯２２を点灯・消灯させる操作スイッチ１５を有している。そして、照明灯２２を収納部２１ａに収納したさいに、操作スイッチ１５が収納部２１ａから突出することにより照明灯２２の回転を阻止する回転抑止部２１ｄを収納部２１ａに設けている。具体的には、回転阻止部２１ｄは、照明灯２２を収納する収納部２１ａの開口部の一部分を切り欠いて設けられたもので、スイッチ１５を嵌め込むことができる幅と長さを備えている。
【００３７】
なお、操作スイッチ１５は、照明灯２２の大略円柱形状をなし、第２の器具本体２３の円柱面側に設けられ、照明灯２２の軸方向に前後スライドさせることにより照明灯２２がＯＮ・ＯＦＦするように設けられている。
【００３８】
さらに、このものは第１の実施形態で説明した照明灯２２に収納された二次電池１４を充電するためのコネクタの形状を変えている。つまり、照明灯２２に収納された二次電池１４を充電するための接続部として、器具本体２１に本体側充電端子１３Ｙを設け、この本体側充電端子１３Ｙが照明灯２２の第２の器具本体２３を銜え込むようにしている。具体的には、本体側充電端子１３Ｙは、バネ性を有し、このバネ性による応力の向きが照明灯２２の第２の器具本体２３に向かっていることにより、照明灯２２の第２の器具本体２３を銜え込むようにしている。また、本体側充電端子１３Ｙと接する端子は、照明灯側充電端子１３Ｘとして、本体側充電端子１３Ｙと対応する位置に照明灯２２の第２の器具本体２３の側壁より露出して設けられている。
【００３９】
さらに詳しく述べると、本体側充電端子１３Ｙは、収納部２１ａの内部に設けられており、銅やステンレスなどの導電性に優れ、かつバネ性を備えた金属材料で形成された平板を、打抜き、折り曲げ形成したものである。そして、本体側充電端子１３Ｙは、中心部に設けられた収納部２１ａに固定される端子固定片と、端子固定片の一端に設けられた充電回路と接続される略Ｕの字状をなした接続片と、端子固定片の他端から内側に折り曲げて設けられた照明灯側充電端子１３Ｘと接触する接触保持片と、を備えて構成されている。そして、この接触保持片は、照明灯側充電端子１３Ｘに対して所定の圧力がかかるように、端子固定片との間に所定のストロークを有している。そして、本体側充電端子１３Ｙは、収納部２１ａの内部で対向して設けられており、照明灯側充電端子１３Ｘと接することにより、前述した接触保持片の持つバネ性による応力の向きが、照明灯２２の第２の器具本体２３に向かうので、結果的に接触保持片が照明灯２２の第２の器具本体２３を銜え込むようなかたちとなる。
【００４０】
照明灯側充電端子１３Ｘは、＋極と−極の２つのものがあり、ともに平板形状をなし、照明灯２２の大略円柱形状に形成された第２の器具本体２３の側壁から露出して設けられている。そして、照明灯側充電端子１３Ｘの＋極と−極の端子は、互いに第２の器具本体２３を介して、対向する位置に設けられている。
【００４１】
このように構成された可搬型照明器具は、照明灯２２を収納部２１ａに収納する際、照明灯２２の操作スイッチ１５を収納部２１ａに設けられた回転抑止部２１ｄに合わせ、この状態で照明灯２２を挿入することにより、照明灯側充電端子１３Ｘが本体側充電端子Ｙと電気的に接続されるようになる。そして本体側充電端子１３Ｙに設けられた接触保持片が、照明灯側充電端子１３Ｘに対して所定の圧力を加えることにより、照明灯２２が保持され、取り付けが完成する。このとき大略円柱状をなした照明灯２２は、操作スイッチ１５と回転抑止部２１ｄにより回転しないようになる。これにより照明灯側充電端子Ｘと本体側充電端子Ｙとは、位置決めの必要なく、照明灯２２を挿入するだけのことにより、必然的に接触、つまり、照明灯２２を点灯させるための二次電池１４を充電するものとなる。また、照明灯２２を収納部２１ａに収納した状態で使用する場合は、収納したままの状態で操作スイッチ１５をＯＮすることにより照明灯２２が点灯し、消灯させる場合も同様に収納部２１ａに収納した状態で行えばよい。
【００４２】
この実施の形態によると、第２の器具本体２３に照明灯２２を点灯・消灯させる操作スイッチ１５を設けるとともに、照明灯２２を収納部２１ａに収納したさいに、操作スイッチ１５が収納部２１ａから突出して照明灯２２の回転を阻止する回転抑止部２１ｄを収納部２１ａに設けたことにより、照明灯２２を収納部２１ａに挿入する際に、照明灯側充電端子１３Ｘが所定の位置に決まった状態で挿入されることになるので、照明灯側充電端子１３Ｘと本体側充電端子１３Ｙの位置決めが不要となる。さらに、操作スイッチ１５が収納部２１ａから突出しているので照明灯２２は、収納部２１ａに収納した状態で点灯、消灯させることができる。従って、照明灯２２を取り出し、点灯させた後に再び戻すという手間が省ける。また、照明灯側充電端子１３Ｘと本体側充電端子１３Ｙの脱着回数も減らすことができるので着脱による磨耗や、バネ性の低下による充電端子１３Ｘと本体側充電端子１３Ｙの接触圧の低下を防ぐことができる。
【００４３】
さらに、照明灯２２に収納された二次電池１４を充電するための接続部として、器具本体２１に本体側充電端子１３Ｙを設け、この本体側充電端子１３Ｙが照明灯２２の第２の器具本体２３を銜え込むようにしたこと、具体的には、本体側充電端子１３Ｙは、バネ性を有し、このバネ性による応力の向きが照明灯２２の第２の器具本体２３に向かっていることにより、照明灯２２の第２の器具本体２３を銜え込むようなかたちとなり、これにより照明灯２２を保持することが可能となる。また、本体側充電端子１３Ｙの応力が、常に照明灯側充電端子１３Ｘに加わることになるので、電気的な接続をより安定したものとすることができる。
【００４４】
また、本体側充電端子１３Ｙと接する端子は、照明灯側充電端子１３Ｘとして、照明灯２２の第２の器具本体２３の側壁に露出して設けられていることにより、本体側充電端子１３Ｙは、照明灯２２を銜え込みやすいものとなり、その設計が容易なものとなる。
【００４５】
なお、この可搬型照明器具は、第１の光源１から放出された光と第２の光源４から放出された光とが、略同じ方向を向いているので、これらの光源を同時に点灯させることにより、より明るいものとなる。また、照明灯２２を第１の光源１の上部に、かつ略水平に備えることにより、器具本体２１の収納部２１ａに照明灯２２を収納したままで点灯させた場合、第２の光源４を小範囲に拡散した、つまり光の方向に指向性を備えた照明灯２２の光をより遠くまで照射することができる。
【００４６】
【発明の効果】
請求項１に係る発明は、複数の光源と、各光源に個別に接続される二次電池及び外部商用電源により各二次電池を充電する充電回路を含む電源装置と、それらを収納するとともに光源の光を透過させる光透過部を有する箱体と、を備えてなる可搬型照明器具において、前記光源の一部とその一部の光源に接続される二次電池とこれらを収納する第２の光透光部を有する第２の箱体とによって照明灯を形成し、前記箱体にその照明灯を収納、離脱可能とする収納部を設けたので、複数の光源を有する可搬型照明器具において、一部の光源のみを使用したい場合、本器具からを電気的に分離させて使用できる使い勝手のよい可搬型照明器具を提供することができる。
【００４７】
請求項２に係る発明は、請求項１において、前記収納部が、光透過部の外面に対し大略直交する方向で、かつ自己の外面と箱体の外面との間に所定の隙間を有するように形成したので、照明灯の収納部と可搬型照明器具の把持部を兼ねることができ、本器具の小型化ができる。
【００４８】
請求項３に係る発明は、請求項１において、前記照明灯の収納部を光透過部の外面に対し大略平行となる位置に形成したので、照明灯の二次電池が器具本体の下部に位置することとなり、器具本体の安定性が向上する。また、照明灯の自重を受ける面に、電気的接点部を設けることによって、安定した電気的接続が維持できる。
【００４９】
請求項４に係る発明は、請求項１乃至３のいずれかにおいて、前記第１の光源が、その光を広範囲に拡散し得るものであるようにしたので、全般照明用として使用できる。
【００５０】
請求項５に係る発明は、請求項１乃至４いずれかにおいて、前記第２の光源が、その光を小範囲に拡散し得るものであるようにしたので、局所照明用として使用できる。
【００５１】
請求項６に係る発明は、、請求項１乃至５いずれかにおいて、前記第２の器具本体は、大略円筒状に形成したので、収納部を円筒状に形成でき、持ちやすいものとなる。
【００５２】
請求項７に係る発明は、請求項１乃至６いずれかにおいて、記各光源に接続される二次電池は、それぞれ充電回路を介して並列に外部商用電源に接続したので、それぞれの光源に対応する二次電池を同時に充電することができる。
【００５３】
請求項８に係る発明は、請求項６において、前記照明灯に収納された二次電池を充電するための接続部として、前記器具本体に本体側充電端子を設け、この本体側充電端子が前記照明灯の第２の器具本体を銜え込むようにしたので照明灯を収納部に挿入する際に、照明灯側充電端子と本体側充電端子の位置決めが不要となるとともに、収納部２１ａに収納した状態で点灯、消灯させることができる。
【００５４】
請求項９に係る発明は、請求項１乃至８いずれかにおいて、前記照明灯に収納された二次電池を充電するための接続部として、前記器具本体に本体側充電端子を設け、この本体側充電端子が前記照明灯の第２の器具本体を銜え込むようにしたので照明灯を保持することが可能となる。
【００５５】
請求項１０に係る発明は、請求項９において、前記本体側充電端子は、バネ性を有し、このバネ性によるの応力の向きが前記照明灯の第２の器具本体に向かっていることにより、電気的な接続をより安定したものとすることができる。
【００５６】
請求項１１に係る発明は、請求項１０において、前記本体側充電端子と接する照明灯側充電端子を前記照明灯の第２の器具本体の側壁に露出して設けたので本体側充電端子は、照明灯を銜え込みやすいものとなり、その設計が容易なものとなる。
【図面の簡単な説明】
【図１】第１の実施形態の器具本体を切断した状態の側面図である。
【図２】同上の光透過部の一部を切り欠いた正面図である。
【図３】同上の側面図である。
【図４】第１、２の実施形態の電源アダプタを示す側面図である。
【図５】同上の回路ブロック図である。
【図６】第２の実施形態の器具本体を切断した状態の側面図である。
【図７】第３の実施形態の器具本体の一部を取外し内部を見たときの斜視図である。
【図８】同上の照明灯を取り出したときの外観図である。
【図９】同上の照明灯を挿入したときの外観図である。
【図１０】同上の照明灯を電気的に接続する接続部分の要部斜視図である。
【符号の説明】
１　　　　　第１の光源
３　　　　　光透過部
４　　　　　第２の光源
６　　　　　第２の光透過部
７、１４　　二次電池
９、１１　　充電回路
１３Ｘ　　　照明灯側充電端子
１３Ｙ　　　本体側充電端子
２１　　　　器具本体
２１ａ、３１ａ収納部
２１ｄ　　　回転阻止部
２２　　　　照明灯
２３　　　　第２の器具本体
【図１】
2004006212.tif 000003
【図２】
2004006212.tif 000004
【図３】
2004006212.tif 000005
【図４】
2004006212.tif 000006
【図５】
2004006212.tif 000007
【図６】
2004006212.tif 000008
【図７】
2004006212.tif 000009
【図８】
2004006212.tif 000010
【図９】
2004006212.tif 000011
【図１０】
2004006212.tif 000012